(57)【要約】【課題】材料取りの歩留まりのよい通気路形成用スペーサを提供すること。【解決手段】矩形状の板体１５の左右側部に、その側端から内方に向けて切込みを形成し、該切込みによって画成される側部を垂直方向一方に折り曲げて、その自由端が前記屋根内面または壁内面に当接させて通気路の高さを設定させる高さ設定片１４を形成するとともに、切込みによって画成される他の側部を垂直方向他方に折り曲げて、縦枠材に添設される取付け片１３を形成したことを特徴とする。【選択図】  図１
2010106657.tif 000002
【特許請求の範囲】
【請求項１】
屋根内面または壁内面の縦枠材間に配備され、前記屋根内面または壁内面との間に通気
路を形成する板状体からなる通気路形成用スペーサであって、
矩形状の板体の左右側部に、その側端から内方に向けて切込みを形成し、該切込みによ
って画成される側部を垂直方向一方に折り曲げて、その自由端を前記屋根内面または壁内
面に当接させて通気路の高さを設定させる高さ設定片を形成するとともに、
前記切込みによって画成される他の側部を垂直方向他方に折り曲げて、前記縦枠材に添
設される取付け片を形成したことを特徴とする、
通気路形成用スペーサ。  
【請求項２】
屋根内面または壁内面の縦枠材間に配備され、前記屋根内面または壁内面との間に通気
路を形成する板状体からなる通気路形成用スペーサであって、
矩形状の板体の左右側部の一部に、両端が側部外方に向く切込みを形成し、
該切込みによって画成された部位を含む左右側部を垂直方向に折り曲げて、その自由端
が前記屋根内面または壁内面に当接させて通気路の高さを設定させる高さ設定片を形成す
るとともに、
前記切込みで画成される部位によって、前記縦枠材に添設される取付け片を形成したこ
とを特徴とする、
通気路形成用スペーサ。
【請求項３】
前記両端が側部外方に向く切込みの形状が、コ字状、円弧状、および底辺を折り曲げ部
とする台形状のいずれかであることを特徴とする、
請求項２に記載の通気路形成用スペーサ。  
【請求項４】
前記側部の折り曲げる部位に薄肉部を形成したことを特徴とする、
請求項１〜３のいずれかに記載の通気路形成用スペーサ。  
【請求項５】
前記板体を熱可塑性樹脂発泡板体によって形成したことを特徴とする、
請求項１〜４のいずれかに記載の通気路形成用スペーサ。
【請求項６】
前記板体の少なくとも片面にアルミ層を形成したことを特徴とする、
請求項１〜５のいずれかに記載の通気路形成用スペーサ。
【請求項７】
前記板体の少なくとも片面に多数の非貫通孔を形成したことを特徴する、
請求項１〜６のいずれかに記載の通気路形成用スペーサ。
【請求項８】
前記矩形板の前後方向端部に、他のスペーサの矩形板の端部と重ね合わせる連結片を設
けたことを特徴とする、
請求項１〜７のいずれかに記載の通気路形成用スペーサ。
【請求項９】
請求項１〜８のいずれかの通気路形成用スペーサを使用し、前記高さ設定片の自由端を
前記屋根内面または壁内面に突き当て、前記取付け片を縦枠材にステープルによって固定
したことを特徴とする、
通気路用スペーサの取付け構造。
【発明の詳細な説明】
【技術分野】
【０００１】
本発明は、通気路形成用スペーサおよびそのスペーサの取付け構造に関するもので、詳
しくは、屋根内面または壁内面の縦枠材間に配備され、前記屋根内面または壁内面との間
に通気路を形成する板状体からなる通気路形成用スペーサおよびそのスペーサの取付け構
造に関するものである。
【背景技術】
【０００２】
家屋の屋根または壁に断熱材を施工する場合には、結露防止や遮熱等の目的で、断熱材
の室外側に通気路を形成することが行なわれている（例えば、特許文献１）
【０００３】
特許文献１に開示されている断熱構造では、通気路形成用スペーサを使用して通気路を
形成している。そして、この通気路形成用スペーサは、矩形状の板体の両側部を山状に折
り曲げてなるもので、頂部を野地板内面に当接させて通気路の高さを設定し、自由端を垂
木に弾性接触させることによって設置される。
【０００４】
【特許文献１】特開２００１−２２７０８０号公報（図１乃至図３参照）
【発明の開示】
【発明が解決しようとする課題】
【０００５】
ところで、上記特許文献１に開示されている通気路形成用スペーサは、矩形状の板体の
両側部を山状に折り曲げて、通気路の高さを設定する部位および垂木への係止部を形成し
ているため、大きな面積の板体を必要とし、材料取りの歩留まりが悪くなると言う課題が
あった。
【０００６】
本発明は、上記した背景技術が有する課題に鑑みて成されたものであって、スペーサの
通気路の高さ設定および取付けに要する板体の折り曲げ部の形成に要する板材の面積を極
力少なくした、即ち、材料取りの歩留まりのよい通気路形成用スペーサおよびをそのスペ
ーサの取付け構造を提供することを目的とする。
【課題を解決するための手段】
【０００７】
上記した課題を解決するため、請求項１の通気路成形用スペーサは、屋根内面または壁
内面の縦枠材間に配備され、前記屋根内面または壁内面との間に通気路を形成する板状体
からなる通気路形成用スペーサであって、矩形状の板体の左右側部に、その側端から内方
に向けて切込みを形成し、該切込みによって画成される側部を垂直方向一方に折り曲げて
、その自由端を前記屋根内面または壁内面に当接させる通気路の高さを設定させる高さ設
定片を形成するとともに、前記切込みによって画成される他の側部を垂直方向他方に折り
曲げて、前記縦枠材に添設される取付け片を形成したことを特徴とする。
【０００８】
また、請求項２の通気路成形用スペーサは、屋根内面または壁内面の縦枠材間に配備さ
れ、前記屋根内面または壁内面との間に通気路を形成する板状体からなる通気路形成用ス
ペーサであって、矩形状の板体の左右側部の一部に、両端が側部外方に向く切込みを形成
し、該切込みによって画成された部分を含む左右側部を垂直方向に折り曲げて、その自由
端が前記屋根内面または壁内面に当接させて通気路の高さを設定させる高さ設定片を形成
するとともに、前記切込みで画成される部位によって、前記縦枠材に添設される取付け片
を形成したことを特徴とする。
ここで、上記両発明において、縦枠材は、垂木，柱，間柱等を言う。  
【０００９】
また、請求項３の通気路成形用スペーサは、上記請求項２の発明において、前記両端が
側部外方に向く切込みの形状が、コ字状、円弧状、および底辺を折り曲げ部とする台形状
のいずれかであることを特徴とする。
【００１０】
また、請求項４の通気路成形用スペーサは、上記請求項１、２または３の発明において
、上記側部の折り曲げる部位に薄肉部を形成したことを特徴とする。
この発明において、薄肉部は、型成形，熱溶融，熱プレス等によって形成できるが、熱
プレスによって形成することが強度上好ましい。  
【００１１】
また、請求項５の通気路成形用スペーサは、上記請求項１〜４のいずれかの発明におい
て、上記板体を熱可塑性樹脂発泡板体によって形成したことを特徴とする。
この発明において、熱可塑性樹脂発泡体を形成する樹脂としては、例えば、ポリスチレ
ン、耐衝撃性ポリスチレン、スチレン−無水マレイン酸共重合体、スチレン−アクリロニ
トリル共重合体、スチレン−ブタジエン−アクリロニトリル共重合体、或いは、これら２
種以上の混合物を基材樹脂とするポリスチレン系樹脂、ポリプロピレン、ポリエチレン、
ポリブテン、エチレン−プロピレン共重合体、エチレン−ブテン共重合体、エチレン−ア
クリル酸共重合体、エチレン−アクリル酸塩基共重合体等のポリオレフィン系樹脂、硬軟
質塩化ビニル樹脂、塩化ビニル−酢酸ビニル共重合体、アクリル酸又はメタアクリル酸又
はそれらのエステル樹脂等が挙げられるが、中でもポリスチレン系樹脂が断熱性能の点、
強度の点および安価である点で好ましい。
【００１２】
また、請求項６の通気路成形用スペーサは、上記請求項１〜５のいずれかの発明におい
て、上記板体の少なくとも片面にアルミ層を形成したことを特徴とする。
この発明において、アルミ層は、アルミ箔を板体に接着剤，融着等によって接着して形
成してもよく、アルミ蒸着フィルムを板体に接着させてもよい。
【００１３】
また、請求項７の通気路成形用スペーサは、上記請求項１〜６のいずれかの発明におい
て、上記板体の少なくとも片面に多数の非貫通孔を形成したことを特徴する。
この発明において、該非貫通孔は針ロールを通過させるなどの針穴加工により形成でき
る。
【００１４】
また、請求項８の通気路成形用スペーサは、上記請求項１〜７のいずれかの発明におい
て、上記矩形板の前後方向端部に、他のスペーサの矩形板の端部と重ね合わせる連結片を
設けたことを特徴とする。
【００１５】
また、上記した課題を解決するため、請求項９の通気路成形用スペーサの取付け構造は
、上記請求項１〜８のいずれかの通気路形成用スペーサを使用し、上記高さ設定片の自由
端を上記屋根内面または壁内面に突き当て、上記取付け片を縦枠材にステープルによって
固定したことを特徴とする。
【発明の効果】
【００１６】
上記した請求項１の通気路形成用スペーサによれば、側部の一部をスペーサの通気路の
高さ設定をする高さ設定片とし、他部を取付けに要する取付け片としているので、材料取
りの歩留まりを高めることができる。
【００１７】
また、上記した請求項２の通気路形成用スペーサによれば、側部をスペーサの通気路の
高さ設定をするための高さ設定片とし、板体内に切込みによって形成した部位を取付けに
要する取付け片としているので、やはり材料取りの歩留まりを高めることができる。更に
、上記した請求項３の通気路形成用スペーサは、前記切込みの形状をコ字状、円弧状、或
いは底辺を折り曲げ部とする台形状としているので、通気路成形用スペーサの生産性、縦
枠材への取付け作業性において優れるものとなる。
【００１８】
また、上記した請求項４の通気路形成用スペーサによれば、薄肉部で折り曲げて高さ設
定片，取付け片を形成することができるので、容易に設定片，取付け片を板体に対して垂
直に立設することができる。
【００１９】
また、上記した請求項５の通気路形成用スペーサによれば、板体を熱可塑性樹脂発泡体
によって形成しているので、断熱効果を高めることができる。また、施工性に関わる軽量
性や、施工後の耐久性に関わる耐水性にも優れている。なお、熱可塑性樹脂発泡体は密度
が０．２〜０．０４ｇ／ｃｍ3、厚みが２〜８ｍｍのものが特に好ましい。
【００２０】
また、上記した請求項６の通気路形成用スペーサによれば、板体に遮熱性能を有するア
ルミ層を形成しているので、断熱効果をより高めることができる。
【００２１】
また、上記した請求項７の通気路形成用スペーサによれば、非貫通孔により透湿性を向
上させることができ、通気路形成用スペーサ内側の小屋裏などの家屋内部空間の湿度調整
が容易となる。また、非貫通孔であるため水が通過することはない。なお、該非貫通孔の
深さは通気路形成用スペーサの厚みの１／４〜４／５であることが好ましく、該非貫通孔
の開口部の最大径は２．５ｍｍ以下、特に２．０ｍｍ以下が好ましい。
【００２２】
また、上記した請求項８の通気路形成用スペーサによれば、連結片を他の通気路形成用
スペーサの端部に重ね合わせ、連設されるスペーサ同士を隙間なく接続することができる
ので、スペーサ連結部からの空気漏れ、該連結部から通気路形成用スペーサ内側の家屋内
部空間への埃の浸入を防ぐことができる。
【００２３】
一方、上記した請求項９の通気路形成用スペーサの取付け構造によれば、スペーサをス
テープルによって垂木等の縦枠材に固定するので、スペーサの取付けが容易であり、また
高さ設定片によって通気路の形状が一定に保たれるので、安定した断熱性能を有する通気
路が得られる。
【発明を実施するための最良の形態】
【００２４】
以下に、本発明に係る通気路成形用スペーサおよびそのスペーサの取付け構造を、図面
を参照しながら詳細に説明する。
【００２５】
図１乃至図４は、本発明に係る通気路形成用スペーサの一実施の形態を示したもので、
図１は、通気路形成用スペーサの斜視図、図２は、その通気形成用スペーサの展開斜視図
、図３は、図２におけるIII−III線断面図、図４は、その通気路形成用スペーサを設置し
た状態を示した断面図である。
【００２６】
この実施の形態に係る通気路形成用スペーサ１０は、図１に示すように、主板１１と、
該主板１１の前後方向の端部の一方を延長して形成した連結片１２と、主板１１の両側端
の中央部に、主板１１に対して垂直方向下方に向けて立設された取付け片１３と、取付け
片１３を除く主板１１の両側端に、主板１１に対して垂直方向上方に向けて立設された高
さ設定片１４とを備えている。
【００２７】
この通気路形成用スペーサ１０は、図２に示すような略矩形状の熱可塑性合成樹脂発泡
体からなる板体１５の上面に、アルミ箔１６を貼着してなる板体素材１７によって形成さ
れている。また、この板体素材１７には、全面にわたって均一な分布で多数の非貫通孔１
８が形成され、板体素材１７の左右側部上下面には、図３に示すような、薄肉部１９が、
側端と平行に形成されている。さらに、この板体素材１７には、左右側部中間に、側端か
ら内方に向けて、薄肉部１９に達する２本の切込み２０，２０がそれぞれ形成されている
。
【００２８】
そして、この板体素材１７の切込み２０，２０と薄肉部１９とによって画成される部位
を垂直方向下方に折り曲げることによって取付け片１３を形成し、その他の側部を薄肉部
１９において上方へ折り曲げることによって高さ設定片１４を形成する。
【００２９】
このように形成された通気路形成用スペーサ１０は、図４に示すように、例えば野地板
１の内面に設置された垂木２，２間に挿嵌し、高さ設定片１４の自由端を野地板１の内面
に突き当て、取付け片１３をステープル３によって垂木２に固定することによって取付け
られる。また、通気路形成用スペーサ１０は、その連結片１２を他の通気路形成用スペー
サ１０の主板１１の端部に重ね合わせ、連設されるスペーサ同士が隙間なく接続される。
なお、連結片１２と主板１１の端部とは必要に応じて接着剤等によって重ね合わせ接合す
ることもできる。
【００３０】
そして、通気路形成用スペーサ１０の主板１１と垂木２とによって画成される空間には
、断熱材４が充填され、垂木２の内面に添設させた内装板５との間に収容される。なお、
図４においては、上記の通り、通気路形成用スペーサ１０の主板１１と垂木２とによって
画成される空間に断熱材４が充填され、垂木２の内面に添設させた内装板５との間に収容
される態様について示しているが、本発明はこの態様に限定されるものではなく、断熱材
４及び／または内装板５を設けなくてもよい。
【００３１】
このように野地板１の内面の垂木２間に配備された通気路形成用スペーサ１０により、
野地板１との間に通気路Ａが確保され、さらに、通気路形成用スペーサ１０に設けられた
アルミ層１６によって断熱性を向上させることができる。
【００３２】
なお、上記実施の形態では、主板１１の左右の側端に取付け片１３を１つ形成している
が、取付け片１３を２つ以上形成してもよい。また、該連結片１２は、主板１１の前後方
向の一方の端部に限らず、両端に設けられていてもよい。
【００３３】
図５乃至図８は、本発明に係る通気路形成用スペーサの他の実施の形態を示したもので
、図５は、通気路形成用スペーサの斜視図、図６は、その通気形成用スペーサの展開斜視
図、図７は、図６におけるVII−VII線断面図、図８は、その通気路形成用スペーサを設置
した状態を示した断面図である。
【００３４】
この実施の形態の通気路形成用スペーサ３０は、図５に示すように、主板３１と、該主
板３１の前後方向端部の一方を延長して形成した連結片３２と、主板３１の両側端にその
全長にわたって垂直上方へ向けて立設された高さ設定片３３と、主板３１の両側端の両端
部近傍の２箇所に、主板３１に対して垂直方向下方に向けて立設された取付け片３４とを
備えている。
【００３５】
この通気路形成用スペーサ３０は、図６に示すような略矩形状の熱可塑性合成樹脂発泡
体からなる板体３５の上面に、アルミ箔３６を貼着してなる板体素材３７によって形成さ
れている。また、この板体素材３７には、全面にわたって均一な分布で多数の非貫通孔３
８が形成され、板体素材３７の左右側部上下面には、図７に示すような、薄肉部３９が、
側端と平行に形成されている。さらに、この板体素材３７の両側部には、コ字状の切込み
４０が形成されている。この切込み４０は、コ字状端が薄肉部３９に位置し、該薄肉部３
９から内方に向かって形成されている。なお、両端が側部外方に向く切込みの形状は、前
記コ字状に限らず、取付け片を形成できる形状であればよく、一辺を折り曲げ部とする多
角形状、円弧状などの切込み形状が採用できるが、通気路成形用スペーサの生産性、縦枠
材への取付け作業性等の観点から、コ字状、円弧状、および底辺を折り曲げ部とする台形
状のいずれかであることが好ましい。
【００３６】
そして、この板体素材３７の両側部を薄肉部３９で上方へ折り曲げることによって高さ
設定片３４が形成される。すると、それに伴ってコ字状の切込み４０によって画成された
部位は、下方に向けて延設され、それによって取付け部３４が形成される。
【００３７】
このように形成された通気路形成用スペーサ３０は、図８に示すように、例えば野地板
１の内面に設置された垂木２，２間に挿嵌し、高さ設定片３３の自由端を野地板１の内面
に突き当て、取付け片３４をステープル３によって垂木２に固定することによって取付け
られる。また、通気路形成用スペーサ３０は、その連結片３２を他の通気用形成スペーサ
３０の主板３１の端部に重ね合わせ、連設されるスペーサ同士が隙間なく接続される。
【００３８】
そして、必要に応じて、通気路形成用スペーサ３０の主板３１と垂木２とによって画成
される空間には、断熱材４が充填され、垂木２の内面に添設させた内装板５との間に収容
される。
【００３９】
このように野地板１の内面の垂木２間に配備された通気路形成用スペーサ３０により、
野地板１との間に通気路Ａが確保される。
【００４０】
なお、上記実施の形態では、主板３１の側端に取付け片３４を２つ形成しているが、取
付け片３４を１つまたは３つ以上形成してもよい。また、該連結片３２は、主板３１の前
後方向の一方の端部に限らず、両端に設けられていてもよい。
【００４１】
以上、本発明の２つの態様について説明したが、両態様は、主要な構成を共通とし、同
様の作用・効果を奏するものである。
【図面の簡単な説明】
【００４２】
【図１】本発明に係る通気路形成用スペーサの一実施の形態を示した斜視図である。
【図２】図１に示した通気路形成用スペーサの展開斜視図である。
【図３】図２におけるIII−III線断面図である。
【図４】図１に示した通気路形成用スペーサの設置状態を示した断面図である。
【図５】本発明に係る通気路形成用スペーサの他の実施の形態を示した斜視図である。
【図６】図５に示した通気形成用スペーサの展開斜視図である。
【図７】図６におけるVII−VII線断面図である。
【図８】図５に示した通気路形成用スペーサの設置状態を示した断面図である。
【符号の説明】
【００４３】
１    野路板      
２    垂木
３    ステープル  
４    断熱材
５    内装板
１０  通気路形成用スペーサ
１１  主板
１２  連結片
１３  取付け片
１４  高さ設定片
１５  板体
１６  アルミ箔
１７  板体素材
１８  非貫通孔
１９  薄肉部
２０  切込み
３０  通気路形成用スペーサ
３１  主板
３２  連結片
３３  高さ設定片
３４  取付け片
３５  板体
３６  アルミ箔
３７  板体素材
３８  非貫通孔
３９  薄肉部
４０  切込み
Ａ    通気路    
【図１】
2010106657.tif 000003
【図２】
2010106657.tif 000004
【図３】
2010106657.tif 000005
【図４】
2010106657.tif 000006
【図５】
2010106657.tif 000007
【図６】
2010106657.tif 000008
【図７】
2010106657.tif 000009
【図８】
2010106657.tif 000010